(57)【要約】      （修正有）【課題】作付けされたことがある作物又は作付けが予定されている作物との関係で、ユーザが希望する作物の作付けが可能な区画を特定する。【解決手段】情報処理装置は、指定された作物を示す指定作物情報を取得する。情報処理装置は、農地に含まれる複数の区画の利用状況であって、複数の区画のうち如何なる区画が利用区画であり、如何なる作物が利用区画における栽培作物であるかを含む利用状況を示す状況情報を取得する。情報処理装置は、状況情報に基づいて、複数の区画のうち空き区画の中から、指定された作物の作付けが可能な区画を特定する。情報処理装置は、特定された区画に関する情報を出力する。【選択図】図１１
2018088155.tif 000002
【特許請求の範囲】
【請求項１】
ユーザにより指定された作物を示す指定作物情報を取得する指定情報取得手段と、
農地に含まれる複数の区画の利用状況であって、前記複数の区画のうち如何なる区画が利用区画であり、如何なる作物が前記利用区画における栽培作物であるかを含む利用状況を示す状況情報を取得する状況情報取得手段と、
前記状況情報に基づいて、前記複数の区画のうち空き区画の中から、前記指定された作物の作付けが可能な区画を特定する特定手段と、
前記特定された区画に関する情報を出力する出力手段と、
を備えることを特徴とする情報処理装置。
【請求項２】
請求項１に記載の情報処理装置において、
前記指定された作物の休栽期間に関する休栽期間情報を取得する休栽期間情報取得手段を更に備え、
前記特定手段は、前記状況情報及び前記休栽期間情報に基づいて、前記指定された作物の休栽期間が終了していない区画を、前記指定された作物の作付けが可能な区画から除外することを特徴とする情報処理装置。
【請求項３】
請求項１又は２に記載の情報処理装置において、
前記状況情報取得手段は、所定時点で前記空き区画である区画において、前記所定時点よりも前における栽培作物を示す前記状況情報を取得し、
前記所定時点よりも前における栽培作物の栽培の後に作付け可能な作物を示す作付可能作物情報を取得する作付可能作物情報を更に備え、
前記特定手段は、前記作付可能作物情報に基づいて、前記指定された作物が、前記所定時点よりも前における栽培作物の栽培の後に作付け可能な作物である区画を、前記指定された作物の作付けが可能な区画として特定することを特徴とする情報処理装置。
【請求項４】
請求項１乃至３の何れか１項に記載の情報処理装置において、
前記指定された作物の作付けの依頼を受け付ける受付手段であって、前記特定された区画の数を越える分の区画への作付けの依頼を受け付けない受付手段を更に備えることを特徴とする情報処理装置。
【請求項５】
請求項１乃至４の何れか１項に記載の情報処理装置において、
前記複数の区画のそれぞれは、複数の地域のうち何れかの地域に含まれ、
前記空き区画において前記指定された作物の作付けが可能な期間であって、前記空き区画を含む地域の気象に基づく期間を取得する作付可能期間取得手段を更に備え、
前記特定手段は、前記指定された作物の作付けが行われる時期が、前記作付けが可能な期間に含まれる区画の中から、前記指定された作物の作付けが可能な区画を特定することを特徴とする情報処理装置。
【請求項６】
請求項５に記載の情報処理装置において、
前記複数の区画のそれぞれは、複数の農園主のうち何れかの農園主が有する農地に含まれ、
前記指定情報取得手段は、前記複数の農園主のうち、前記ユーザにより指定された農園主を示す農園主情報を更に取得し、
前記作付可能期間取得手段は、前記指定された作物の作付けが可能な期間であって、前記指定された農園主が有する農地がある地域の気象に基づく期間を取得し、
前記特定手段は、前記指定された農園主が有する農地に含まれる区画の中から、前記作付けが可能な区画を特定することを特徴とする情報処理装置。
【請求項７】
請求項５又は６に記載の情報処理装置において、
前記状況情報取得手段は、前記複数の区画のうち現在利用されている区画で現在栽培されている作物の作付けから収穫までに必要な栽培期間を更に取得し、
前記作付可能期間取得手段は、前記現在利用されている区画において前記指定された作物の作付けが可能な期間であって、前記現在利用されている区画を含む地域の気象に基づく期間を取得し、
前記特定手段は、前記現在利用されている区画のうち、前記栽培期間及び前記作付けが可能な期間に基づいて、前記現在栽培されている作物の収穫が終わった後で且つ前記作付けが可能な期間内に前記指定された作物の作付けが可能であると判定され、且つ、前記状況情報に基づいて、前記指定された作物が作付け可能であると判定される区画を、前記指定された作物の作付けが可能な区画に含めることを特徴とする情報処理装置。
【請求項８】
請求項１乃至７の何れか１項に記載の情報処理装置において、
前記指定情報取得手段は、ユーザにより指定された発送期間を更に取得し、
前記状況情報取得手段は、前記複数の区画のうち現在利用されている区画で現在栽培されている作物の作付けから収穫までに必要な栽培期間を更に取得し、
前記指定された作物の作付けから収穫までに必要な第２栽培期間の長さを取得する栽培期間取得手段を更に備え、
前記特定手段は、前記現在利用されている区画のうち、前記栽培期間、前記第２栽培期間の長さ及び前記発送期間に基づいて、前記現在栽培されている作物の収穫が終わった後で前記指定された作物が作付けされるという条件の下で、前記発送期間内に前記指定された作物の発送が可能であると判定され、且つ前記状況情報に基づいて、前記指定された作物が作付け可能であると判定される区画を、前記指定された作物の作付けが可能な区画に含めることを特徴とする情報処理装置。
【請求項９】
請求項１乃至８の何れか１項に記載の情報処理装置において、
前記状況情報取得手段は、前記複数の区画のそれぞれについて、作付けが予定される作物及び時期を示す予定情報を前記状況情報として取得し、
前記特定手段は、前記指定作物情報及び前記予定情報に基づいて、前記作付けが予定されていない空き時期がある区画のうち、前記空き時期の前の作付作物の栽培の後に、前記指定された作物の作付けが可能であり、且つ前記指定された作物の栽培の後に、前記空き時期の後の作付作物の作付けが可能であると判定される区画を、前記空き時期に前記指定された作物の作付けが可能である区画として特定することを特徴とする情報処理装置。
【請求項１０】
請求項１乃至９の何れか１項に記載の情報処理装置において、
前記状況情報取得手段は、前記空き区画から所定範囲内にある区画のうち利用区画における栽培作物を示す前記状況情報を取得し、
前記利用区画における栽培作物が栽培されている区画から前記所定範囲内にある区画で栽培が可能な作物を示す第２作付可能作物情報を取得する第２作付可能作物情報取得手段を更に備え、
前記特定手段は、前記第２作付可能作物情報に基づいて、前記指定された作物が、前記所定範囲内にある区画で栽培が可能な作物ではない利用区画から前記所定範囲内にある空き区画を、前記指定された作物の作付けが可能な区画から除外することを特徴とする情報処理装置。
【請求項１１】
コンピュータにより実行される情報処理方法において、
ユーザにより指定された作物を示す指定作物情報を取得する指定情報取得ステップと、
農地に含まれる複数の区画の利用状況であって、前記複数の区画のうち如何なる区画が利用区画であり、如何なる作物が前記利用区画における栽培作物であるかを含む利用状況を示す状況情報を取得する状況情報取得ステップと、
前記状況情報に基づいて、前記複数の区画のうち空き区画の中から、前記指定された作物の作付けが可能な区画を特定する特定ステップと、
前記特定された区画に関する情報を出力する出力ステップと、
を含むことを特徴とする情報処理方法。
【請求項１２】
コンピュータを、
ユーザにより指定された作物を示す指定作物情報を取得する指定情報取得手段と、
農地に含まれる複数の区画の利用状況であって、前記複数の区画のうち如何なる区画が利用区画であり、如何なる作物が前記利用区画における栽培作物であるかを含む利用状況を示す状況情報を取得する状況情報取得手段と、
前記状況情報に基づいて、前記複数の区画のうち空き区画の中から、前記指定された作物の作付けが可能な区画を特定する特定手段と、
前記特定された区画に関する情報を出力する出力手段と、
として機能させることを特徴とする情報処理プログラム。
【発明の詳細な説明】
【技術分野】
【０００１】
本発明は、ユーザが希望する作物を、農園主が有する農地で栽培することの依頼を受け付けるためのシステム及び方法の技術分野に関する。
【背景技術】
【０００２】
従来、栽培したい作物を選択して、ユーザが農園主に栽培を委託することが可能なシステムが知られている。これに関連して、特許文献１には、農園主は、農業運営者との協議の上、オーナー会員の作付け希望などを考慮して、農園区画の割り付けを行い、作付け計画を策定することが開示されている。
【先行技術文献】
【特許文献】
【０００３】
【特許文献１】特開２０１０−１７６５１８号公報
【発明の概要】
【発明が解決しようとする課題】
【０００４】
しかしながら、連作障害、前作と後作との相性、又は周囲の区画で栽培されている作物との相性などの観点から、農地内の区画が空いていたとしても、ユーザが希望する作物によってはその区画が作付けに適さない場合がある。そのため、空いているからという理由のみで、その区画を、ユーザが希望する作物が作付けされる区画として単純に割り当てることは望ましくない。
【０００５】
本発明は、以上の点に鑑みてなされたものであり、作付けされたことがある作物又は作付けが予定されている作物との関係で、ユーザが希望する作物の作付けが可能な区画を特定することが可能な情報処理装置及び情報処理方法等を提供することを目的とする。
【課題を解決するための手段】
【０００６】
上記課題を解決するために、請求項１に記載の発明は、ユーザにより指定された作物を示す指定作物情報を取得する指定情報取得手段と、農地に含まれる複数の区画の利用状況であって、前記複数の区画のうち如何なる区画が利用区画であり、如何なる作物が前記利用区画における栽培作物であるかを含む利用状況を示す状況情報を取得する状況情報取得手段と、前記状況情報に基づいて、前記複数の区画のうち空き区画の中から、前記指定された作物の作付けが可能な区画を特定する特定手段と、前記特定された区画に関する情報を出力する出力手段と、を備えることを特徴とする。
【０００７】
この発明によれば、情報処理装置は、如何なる区画が利用区画であり、如何なる作物が利用区画における栽培作物であるかを含む利用状況を示す状況情報に基づいて、指定された作物の作付けが可能な区画を特定する。従って、作付けされたことがある作物又は作付けが予定されている作物との関係で、ユーザが希望する作物の作付けが可能な区画を特定することが可能となる。
【０００８】
請求項２に記載の発明は、請求項１に記載の情報処理装置において、前記指定された作物の休栽期間に関する休栽期間情報を取得する休栽期間情報取得手段を更に備え、前記特定手段は、前記状況情報及び前記休栽期間情報に基づいて、前記指定された作物の休栽期間が終了していない区画を、前記指定された作物の作付けが可能な区画から除外することを特徴とする。
【０００９】
この発明によれば、情報処理装置は、連作障害が生じないように、指定された作物の作付けが可能な区間を特定することができる。
【００１０】
請求項３に記載の発明は、請求項１又は２に記載の情報処理装置において、前記状況情報取得手段は、所定時点で前記空き区画である区画において、前記所定時点よりも前における栽培作物を示す前記状況情報を取得し、前記所定時点よりも前における栽培作物の栽培の後に作付け可能な作物を示す作付可能作物情報を取得する作付可能作物情報を更に備え、前記特定手段は、前記作付可能作物情報に基づいて、前記指定された作物が、前記所定時点よりも前における栽培作物の栽培の後に作付け可能な作物である区画を、前記指定された作物の作付けが可能な区画として特定することを特徴とする。
【００１１】
この発明によれば、情報処理装置は、指定された作物が後作であると仮定した場合において、前作と後作との相性問題が生じないように、指定された作物の作付けが可能な区間を特定することができる。
【００１２】
請求項４に記載の発明は、請求項１乃至３の何れか１項に記載の情報処理装置において、前記指定された作物の作付けの依頼を受け付ける受付手段であって、前記特定された区画の数を越える分の区画への作付けの依頼を受け付けない受付手段を更に備えることを特徴とする。
【００１３】
この発明によれば、情報処理装置は、指定された作物を実際には作付けすることができない区画に、指定された作物を作付けするように処理が行われることを防止することができる。
【００１４】
請求項５に記載の発明は、請求項１乃至４の何れか１項に記載の情報処理装置において、前記複数の区画のそれぞれは、複数の地域のうち何れかの地域に含まれ、前記空き区画において前記指定された作物の作付けが可能な期間であって、前記空き区画を含む地域の気象に基づく期間を取得する作付可能期間取得手段を更に備え、前記特定手段は、前記指定された作物の作付けが行われる時期が、前記作付けが可能な期間に含まれる区画の中から、前記指定された作物の作付けが可能な区画を特定することを特徴とする。
【００１５】
この発明によれば、情報処理装置は、地域によって作付けが可能な期間が異なることを考慮して、指定された作物の作付けが可能な区間を特定することができる。
【００１６】
請求項６に記載の発明は、請求項５に記載の情報処理装置において、前記複数の区画のそれぞれは、複数の農園主のうち何れかの農園主が有する農地に含まれ、前記指定情報取得手段は、前記複数の農園主のうち、前記ユーザにより指定された農園主を示す農園主情報を更に取得し、前記作付可能期間取得手段は、前記指定された作物の作付けが可能な期間であって、前記指定された農園主が有する農地がある地域の気象に基づく期間を取得し、前記特定手段は、前記指定された農園主が有する農地に含まれる区画の中から、前記作付けが可能な区画を特定することを特徴とする。
【００１７】
この発明によれば、ユーザは作物の栽培を委託する農園主を指定することができるとともに、情報処理装置は、農園主が有する農地がある地域によって作付けが可能な期間が異なることを考慮して、指定された作物の作付けが可能な区間を特定することができる。
【００１８】
請求項７に記載の発明は、請求項５又は６に記載の情報処理装置において、前記状況情報取得手段は、前記複数の区画のうち現在利用されている区画で現在栽培されている作物の作付けから収穫までに必要な栽培期間を更に取得し、前記作付可能期間取得手段は、前記現在利用されている区画において前記指定された作物の作付けが可能な期間であって、前記現在利用されている区画を含む地域の気象に基づく期間を取得し、前記特定手段は、前記現在利用されている区画のうち、前記栽培期間及び前記作付けが可能な期間に基づいて、前記現在栽培されている作物の収穫が終わった後で且つ前記作付けが可能な期間内に前記指定された作物の作付けが可能であると判定され、且つ、前記状況情報に基づいて、前記指定された作物が作付け可能であると判定される区画を、前記指定された作物の作付けが可能な区画に含めることを特徴とする。
【００１９】
この発明によれば、情報処理装置は、現時点で利用区画である区画であっても、地域によって作付けが可能な期間が異なることを考慮して、その区画が空き区画になったときに、指定された作物の作付けが可能な区画を特定することができる。
【００２０】
請求項８に記載の発明は、請求項１乃至７の何れか１項に記載の情報処理装置において、前記指定情報取得手段は、ユーザにより指定された発送期間を更に取得し、前記状況情報取得手段は、前記複数の区画のうち現在利用されている区画で現在栽培されている作物の作付けから収穫までに必要な栽培期間を更に取得し、前記指定された作物の作付けから収穫までに必要な第２栽培期間の長さを取得する栽培期間取得手段を更に備え、前記特定手段は、前記現在利用されている区画のうち、前記栽培期間、前記第２栽培期間の長さ及び前記発送期間に基づいて、前記現在栽培されている作物の収穫が終わった後で前記指定された作物が作付けされるという条件の下で、前記発送期間内に前記指定された作物の発送が可能であると判定され、且つ前記状況情報に基づいて、前記指定された作物が作付け可能であると判定される区画を、前記指定された作物の作付けが可能な区画に含めることを特徴とする。
【００２１】
この発明によれば、情報処理装置は、現時点で利用区画である区画であっても、その区画が空き区画になったときに作付けした場合に、指定された発送期間内に指定された作物の発送が可能となる区画を特定することができる。
【００２２】
請求項９に記載の発明は、請求項１乃至８の何れか１項に記載の情報処理装置において、前記状況情報取得手段は、前記複数の区画のそれぞれについて、作付けが予定される作物及び時期を示す予定情報を前記状況情報として取得し、前記特定手段は、前記指定作物情報及び前記予定情報に基づいて、前記作付けが予定されていない空き時期がある区画のうち、前記空き時期の前の作付作物の栽培の後に、前記指定された作物の作付けが可能であり、且つ前記指定された作物の栽培の後に、前記空き時期の後の作付作物の作付けが可能であると判定される区画を、前記空き時期に前記指定された作物の作付けが可能である区画として特定することを特徴とする。
【００２３】
この発明によれば、情報処理装置は、既に別の作物の作付けが予定されている状況において、空き期間に指定された作物の作付けが可能であり、且つ指定された作物が空き期間に栽培されたと仮定した場合に、指定された作物との関係で、作付けが予定されている作物の作付けが可能となる区画を特定することができる。
【００２４】
請求項１０に記載の発明は、請求項１乃至９の何れか１項に記載の情報処理装置において、前記状況情報取得手段は、前記空き区画から所定範囲内にある区画のうち利用区画における栽培作物を示す前記状況情報を取得し、前記利用区画における栽培作物が栽培されている区画から前記所定範囲内にある区画で栽培が可能な作物を示す第２作付可能作物情報を取得する第２作付可能作物情報取得手段を更に備え、前記特定手段は、前記第２作付可能作物情報に基づいて、前記指定された作物が、前記所定範囲内にある区画で栽培が可能な作物ではない利用区画から前記所定範囲内にある空き区画を、前記指定された作物の作付けが可能な区画から除外することを特徴とする。
【００２５】
この発明によれば、情報処理装置は、周囲の区画で栽培される作物との相性問題が生じないように、指定された作物の作付けが可能な区間を特定することができる。
【００２６】
請求項１１に記載の発明は、コンピュータにより実行される情報処理方法において、ユーザにより指定された作物を示す指定作物情報を取得する指定情報取得ステップと、農地に含まれる複数の区画の利用状況であって、前記複数の区画のうち如何なる区画が利用区画であり、如何なる作物が前記利用区画における栽培作物であるかを含む利用状況を示す状況情報を取得する状況情報取得ステップと、前記状況情報に基づいて、前記複数の区画のうち空き区画の中から、前記指定された作物の作付けが可能な区画を特定する特定ステップと、前記特定された区画に関する情報を出力する出力ステップと、を含むことを特徴とする。
【００２７】
請求項１２に記載の発明は、コンピュータを、ユーザにより指定された作物を示す指定作物情報を取得する指定情報取得手段と、農地に含まれる複数の区画の利用状況であって、前記複数の区画のうち如何なる区画が利用区画であり、如何なる作物が前記利用区画における栽培作物であるかを含む利用状況を示す状況情報を取得する状況情報取得手段と、前記状況情報に基づいて、前記複数の区画のうち空き区画の中から、前記指定された作物の作付けが可能な区画を特定する特定手段と、前記特定された区画に関する情報を出力する出力手段と、として機能させることを特徴とする。
【発明の効果】
【００２８】
本発明によれば、情報処理装置は、如何なる区画が利用区画であり、如何なる作物が利用区画における栽培作物であるかを含む利用状況を示す状況情報に基づいて、指定された作物の作付けが可能な区画を特定する。従って、作付けされたことがある作物又は作付けが予定されている作物との関係で、ユーザが希望する作物の作付けが可能な区画を特定することが可能となる。
【図面の簡単な説明】
【００２９】
【図１】一実施形態に係る栽培受注システムＳの概要構成の一例を示す図である。
【図２】一実施形態に係る管理サーバ１の概要構成の一例を示すブロック図である。
【図３】データベースに記憶される内容の一例を示す図である。
【図４】一実施形態に係る管理サーバ１のシステム制御部１４の機能ブロックの一例を示す図である。
【図５】（ａ）は、区画検索条件指定ページの一例を示す図である。（ｂ）は、検索結果ページの一例を示す情報である。
【図６】（ａ）及び（ｂ）は、作付希望作物が作付可能であるか否かの一例を示す図である。
【図７】作付希望作物が作付可能であるか否かの一例を示す図である。
【図８】（ａ）及び（ｂ）は、作付希望作物が作付可能であるか否かの一例を示す図である。
【図９】一実施形態に係る管理サーバ１のシステム制御部１４の検索処理の一例を示すフローチャートである。
【図１０】一実施形態に係る管理サーバ１のシステム制御部１４の農園主対応検索処理の一例を示すフローチャートである。
【図１１】一実施形態に係る管理サーバ１のシステム制御部１４の作付可能判定処理の一例を示すフローチャートである。
【図１２】作付希望作物が作付可能であるか否かの一例を示す図である。
【図１３】一実施形態に係る管理サーバ１のシステム制御部１４の農園主対応検索処理の一例を示すフローチャートである。
【図１４】一実施形態に係る管理サーバ１のシステム制御部１４の作付可能判定処理の一例を示すフローチャートである。
【図１５】一実施形態に係る管理サーバ１のシステム制御部１４の作付可能判定処理の一例を示すフローチャートである。
【発明を実施するための形態】
【００３０】
以下、図面を参照して本発明の実施形態について詳細に説明する。なお、以下に説明する実施の形態は、作物の作付けの依頼を受け付ける栽培受注システムに対して本発明を適用した場合の実施形態である。以下の実施形態において、作付け可能な作物は野菜などの食用の草本を含む。しかしながら、作付け可能な作物は観賞用の草本を含んでもよい。
【００３１】
［１．第１実施形態］
［１−１．栽培受注システムの構成及び機能概要］
先ず、本実施形態に係る栽培受注システムＳの構成及び機能概要について、図１を用いて説明する。図１は、本実施形態に係る栽培受注システムＳの概要構成の一例を示す図である。
【００３２】
図１に示すように、栽培受注システムＳは、管理サーバ１と、１又は複数の農園主端末２と、１又は複数のユーザ端末３と、を含んで構成されている。そして、管理サーバ１と各農園主端末２及び各ユーザ端末３とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３３】
管理サーバ１は、ユーザ端末３からの要求に応じて、１又は複数の農地に含まれる複数の区画の中から、ユーザにより指定された作付希望作物の作付けが可能な区画を検索する。管理サーバ１は、作付けが可能な区画の中から１又は複数の区画に作付希望作物を作付けする作付依頼をユーザ端末３から受け付ける。管理サーバ１は、作付依頼に基づいて、作付け可能な１又は複数の区画を有する農園主の農園主端末２へ栽培指示を送信する。
【００３４】
農園主端末２は、農園主が利用する端末装置である。各農園主は、農業を営む世帯又は事業者である。各農園主は農地を有する。農園主が賃借している農地も、農園主が有する農地に含まれてもよい。各農地は複数の区画に分割されている。全区画の面積は同一又は略同一であってもよい。或いは、農地ごとに又は区画ごとに、区画の面積が異なっていてもよい。管理サーバ１からの栽培指示に従って、農園主は、栽培指示に示された区画に作付希望作物を作付けする。そして、農園主は作付希望作物を栽培及び収穫して、収穫した作物を、作付けを依頼したユーザへ発送する。農園主端末２は、農園主からの操作に基づいて管理サーバ１にアクセスすることにより、管理サーバ１からウェブページを受信して表示する。
【００３５】
ユーザ端末３は、作物の作付けを依頼することが可能なユーザが利用する端末装置である。ユーザ端末３は、ユーザからの操作に基づいて管理サーバ１にアクセスすることにより、管理サーバ１からウェブページを受信して表示する。
【００３６】
農園主端末２及びユーザ端末３には、ブラウザや電子メールクライアント等のソフトウェアが組み込まれている。農園主端末２及びユーザ端末３としては、例えば、パーソナルコンピュータ、ＰＤＡ（Personal Digital Assistant）、スマートフォン等の携帯情報端末、携帯電話機等が用いられる。
【００３７】
［１−２．管理サーバの構成］
次に、管理サーバ１の構成について、図２及び図３を用いて説明する。図２は、本実施形態に係る管理サーバ１の概要構成の一例を示すブロック図である。図２に示すように、管理サーバ１は、通信部１１と、記憶部１２と、入出力インターフェース１３と、システム制御部１４と、を備えている。そして、システム制御部１４と入出力インターフェース１３とは、システムバス１５を介して接続されている。
【００３８】
通信部１１は、ネットワークＮＷに接続して、農園主端末２やユーザ端末３等との通信状態を制御するようになっている。
【００３９】
記憶部１２は、例えば、ハードディスクドライブ等により構成されている。記憶部１２には、会員ＤＢ１２ａ、作物ＤＢ１２ｂ、作付可能期間ＤＢ１２ｃ、農園主ＤＢ１２ｄ、区画利用状況ＤＢ１２ｅ等のデータベースが構築されている。「ＤＢ」は、データベースの略語である。
【００４０】
図３は、データベースに記憶される内容の一例を示す図である。会員ＤＢ１２ａには、栽培受注システムＳを利用可能なユーザに関する会員情報が記憶される。具体的に、会員ＤＢ１２ａには、ユーザＩＤ、パスワード、氏名、住所、電話番号、電子メールアドレス等のユーザの属性が、ユーザごとに対応付けて記憶される。ユーザＩＤは、ユーザの識別情報である。
【００４１】
作物ＤＢ１２ｂには、栽培受注システムＳにより作付けの依頼を受付可能な作物に関する作物情報が記憶される。具体的に、作物ＤＢ１２ｂには、作物名、必要栽培日数、休栽年数、後作可能作物リスト、隣接区画作付け可能作物リスト等の作物の属性が、作物の種類ごとに対応付けて記憶される。作物名は、作物の種類の識別名である。必要栽培日数は、作物名が示す作物の作付けからその収穫までに必要な期間の長さを示す。休栽年数は、作物の休栽期間の長さを示す。休栽期間は、連作障害を防ぐための期間である。具体的に休栽年数は、作物名が示す作物を作付けした日から何年間、その作物と同一の作物を作付けるべきではないかを示す。
【００４２】
後作可能作物リストは、作物情報の作物名が示す作物が前作である場合に、後作として作付け可能な作物の作物名のリストである。後作可能作物リストは、前作と後作との相性に起因する後作の生育不良を防ぐための情報である。例えば、前作の栽培による土壌中の特定の害虫又は細菌の増加又は減少、土壌中の特定の養分又は成分の増加又は減少が、後作の生育に影響を及ぼす場合がある。後作可能作物リストには、前作との相性がよい作物のみが登録されてもよい。前作との相性がよい作物は、何も栽培されていなかった区画にその作物を作付けした場合よりも、その前作が栽培された後にその作物を作付けした方が所定程度以上育成状態が良くなる作物であってもよい。或いは、後作可能作物リストには、前作との相性が良い作物と、前作との相性が良くも悪くもない作物とが登録されてもよい。前作との相性が良くも悪くもない作物は、何も栽培されていなかった区画にその作物を作付けした場合と、その前作が栽培された後にその作物を作付けした場合とで、育成状態が変わらない作物であってもよい。なお、前作との相性が悪い作物は、何も栽培されていなかった区画にその作物を作付けした場合よりも、その前作が栽培された後にその作物を作付けした方が所定程度以上育成状態が悪くなる作物であってもよい。
【００４３】
隣接区画作付可能作物リストは、作物情報の作物名が示す作物が、注目する区画から所定範囲内にある区画で栽培されているときに、注目する区画に作付け可能な作物の作物名のリストである。隣接区画作付可能作物リストは、同時に栽培される２種類の作物間の相性に起因する、２種類の作物の少なくとも何れか一方の生育不良を防ぐための情報である。例えば、或る区画で或る種類の作物が栽培されることによる特定の害虫の発生又は発生の抑制が、その区画から所定範囲内にある区画で別の種類の作物の育成に影響を及ぼす場合がある。注目する区画から所定範囲内にある区画で栽培される作物を第１作物とし、注目する区画で栽培される作物を第２作物とする。隣接区画作付可能作物リストには、第１作物との相性が良い第２作物のみが登録されてもよい。第１作物との相性が良い第２作物は、所定範囲内にある区画で何も栽培されていない場合よりも、所定範囲内にある区画で第１作物が栽培されている方が所定程度以上育成状態が良くなる作物であってもよい。或いは、隣接区画作付可能作物リストには、第１作物との相性が良い第２作物と、第１作物との相性が良くも悪くもない第２作物とが登録されてもよい。第１作物との相性が良くも悪くもない第２作物は、所定範囲内にある区画で何も栽培されていない場合と、所定範囲内にある区画で第１作物が栽培されている場合とで、育成状態が変わらない作物であってもよい。なお、第１作物との相性が悪い第２作物は、所定範囲内にある区画で何も栽培されていない場合よりも、所定範囲内にある区画で第１作物が栽培されている方が所定程度以上育成状態が悪くなる作物であってもよい。所定範囲内にある区画は、例えば注目する区画に隣接する区画であってもよいし、注目する区画から所定区画数内又は所定距離内にある区画であってもよい。この場合の区画数は、注目する区画から或る区画へ到達するまでに通過する区画の数である。本実施形態において所定範囲内にある区画は、注目する区画に隣接する区画とする。
【００４４】
作付可能期間ＤＢ１２ｃには、作物を作付け可能な期間に関する情報が記憶される。具体的に、作付可能期間ＤＢ１２ｃには、地域ＩＤ、作物名及び作付可能期間が、地域と作物の種類との組み合わせごとに記憶される。地域ＩＤは、地域の識別名である。地域は、例えば地方、都道府県又は市区町村等であってもよい。作付可能期間は、１年のうち、地域ＩＤが示す地域で作物名が示す作物の作付けが可能な期間を示す。この期間は、地域の気象に基づく。作物の作付けが可能な期間は、例えば作物の作付けに適した期間であってもよい。作物の作付けが可能な期間は、例えばその期間内に作付けした場合に作物が十分に生育することを期待することができるような期間であってもよい。作物によって作付可能期間は異なる場合がある。また同一の作物を作付けする場合であっても、作物が作付けされる農地がある地域の気象によって作付可能期間は異なる場合がある。地域の気象は、例えば気候、天候又は特定の期間の気象状況の少なくとも１つを含んでもよい。
【００４５】
農園主ＤＢ１２ｄには、農園主に関する農園主情報が記憶される。具体的に、農園主ＤＢ１２ｄには、農園主ＩＤ、農園主名、住所、電話番号、電子メールアドレス、地域ＩＤ、区画情報等の農園主の属性が、農園主ごとに対応付けて記憶される。農園主ＩＤは、農園主の識別情報である。農園主名は、農業を営む世帯の代表者の氏名又は農業を営む事業者の名称である。地域ＩＤは、農園主が有する農地がある地域を示す。区画情報は、農園主が有する農地に含まれる区画に関する情報である。例えば、区画情報は、各区画の区画ＩＤ、各区画の農地内における位置、区画同士の隣接関係を示す情報を含んでもよい。区画ＩＤは、区画の識別情報である。
【００４６】
区画利用状況ＤＢ１２ｅには、区画の利用状況を示す区画利用情報が記憶される。区画の利用状況は、過去、現在及び未来の少なくとも何れかにおける区画の利用状況であってもよい。区画の利用状況は、如何なる区画が利用区画であり、如何なる作物が利用区画における栽培作物であるかを含む。利用区画とは、或る時点で作物の栽培に利用されている区画である。或る時点で作物の栽培に利用されていない区画はその時点では空き区画である。区画利用状況ＤＢ１２ｅには、作付希望作物の作付依頼が受け付けられた区画ごとに区画利用情報が記憶される。具体的に、区画利用状況ＤＢ１２ｅには、農園主ＩＤ、区画ＩＤ、作物名、作付依頼ユーザＩＤ、栽培開始日及び栽培終了日が対応付けて記憶される。農園主ＩＤは、作付希望作物の作付依頼が受け付けられた区画を有する農園主を示す。区画ＩＤは、作付希望作物の作付依頼が受け付けられた区画を示す。作物名は、作付希望作物を示す。作付依頼ユーザＩＤは、作付希望作物の作付けを依頼したユーザを示す。栽培開始日は、区画ＩＤが示す区画で作付希望作物の栽培が開始された日又は栽培の開始が予定される日である。栽培開始日は、作付希望作物が作付けされる日である。栽培終了日は、区画ＩＤが示す区画で作付希望作物の栽培が終了した日又は栽培の終了が予定される日である。栽培終了日は、作付希望作物が収穫される日である。栽培開始日から栽培終了日までの期間は、作付希望作物の栽培期間である。栽培期間中、区画ＩＤが示す区画は利用区画である。栽培期間の日数は、作付希望作物の必要栽培日数に基本的に一致する。栽培開始日が今日以前の何れかの日である区画利用情報は、作物の作付けの履歴を示す。栽培開始日が明日以降の何れかの日である区画利用情報は、作物の作付けの予定を示す。
【００４７】
記憶部１２には、更にウェブページを表示するための各種データ、例えばＨＴＭＬ（HyperText Markup Language）文書、ＸＭＬ（Extensible Markup Language）文書、画像データ、テキストデータ、電子文書等が記憶されている。また、記憶部１２には、各種の設定値が記憶されている。
【００４８】
また、記憶部１２には、オペレーティングシステム、ＤＢＭＳ（Database Management System）、サーバプログラム等の各種プログラムが記憶されている。サーバプログラムは、区画の検索、作付依頼の受付等に関する各種処理をシステム制御部１４に実行させるプログラムである。各種プログラムは、例えば、他のサーバ装置等からネットワークＮＷを介して取得されるようにしてもよいし、磁気テープ、光ディスク、メモリカード等の記録媒体に記録されてドライブ装置を介して読み込まれるようにしてもよい。また、サーバプログラム等は、プログラム製品であってもよい。
【００４９】
入出力インターフェース１３は、通信部１１及び記憶部１２とシステム制御部１４との間のインターフェース処理を行うようになっている。
【００５０】
システム制御部１４は、ＣＰＵ（Central Processing Unit）１４ａ、ＲＯＭ（Read Only Memory）１４ｂ、ＲＡＭ（Random Access Memory）１４ｃ等により構成されている。ＣＰＵ１４ａは、プロセッサの一例である。なお、本発明は、ＣＰＵと異なる様々なプロセッサに対しても適用可能である。記憶部１２、ＲＯＭ１４ｂ及びＲＡＭ１４ｃは、それぞれメモリの一例である。なお、本発明は、ハードディスク、ＲＯＭ及びＲＡＭと異なる様々なメモリに対しても適用可能である。
【００５１】
なお、管理サーバ１が、複数のサーバ装置で構成されてもよい。例えば、区画の検索、作付依頼の受付の処理を行うサーバ装置、ウェブページを送信するサーバ装置、及びデータベースを管理するサーバ装置等が、互いにＬＡＮ等で接続されてもよい。
【００５２】
［１−３．システム制御部の機能概要］
次に、図４乃至図８を用いて、システム制御部１４の機能概要について説明する。図４は、本実施形態に係る管理サーバ１のシステム制御部１４の機能ブロックの一例を示す図である。システム制御部１４は、ＣＰＵ１４ａが、サーバプログラム等のプログラムに含まれる各種コードを読み出し実行することにより、図４に示すように、希望情報取得部１４１、区画利用状況取得部１４２、区画特定部１４３、特定結果出力部１４４、作付依頼受付部１４５等として機能する。希望情報取得部１４１は、本発明における指定情報取得手段の一例である。区画利用状況取得部１４２は、本発明における状況情報取得手段の一例である。区画特定部１４３は、本発明における特定手段、休栽期間情報取得手段、作付可能作物情報手段、第２作付可能作物情報取得手段、及び作付可能期間取得手段のそれぞれの一例である。特定結果出力部１４４は、本発明における出力手段の一例である。作付依頼受付部１４５は、本発明における受付手段の一例である。
【００５３】
希望情報取得部１４１は、区画の検索条件としてユーザにより指定された情報を、ユーザ端末３から取得する。具体的に、希望情報取得部１４１は、ユーザにより指定された作付希望作物を示す情報を取得する。作付希望作物は、ユーザが作付を希望する作物である。作付希望作物を示す情報は、例えば作物名であってもよい。
【００５４】
希望情報取得部１４１は、ユーザにより指定された希望農園主を示す情報を取得してもよいし取得しなくてもよい。希望農園主は、作付希望作物を栽培する農園主としてユーザが希望する農園主である。
【００５５】
希望情報取得部１４１は、ユーザにより指定された発送希望期間を取得してもよいし取得しなくてもよい。発送希望期間は、収穫された作付希望作物の発送が行われる期間としてユーザが希望する期間である。ユーザは、発送希望期間の初日と末日の両方を指定してもよいし、初日のみを指定してもよいし、末日のみを指定してもよい。
【００５６】
図５（ａ）は、区画検索条件指定ページの一例を示す図である。区画検索条件指定ページは、区画の検索条件を指定するためのウェブページである。ユーザ端末３からの要求に応じて、管理サーバ１が区画検索条件指定ページをユーザ端末３へ送信する。図５（ａ）に示すように、区画検索条件指定ページは、作付希望作物選択領域１０１、及び検索ボタン１０５を少なくとも含んでもよい。作付希望作物選択領域１０１は、栽培受注システムＳが作付の依頼を受付可能な作物のリストから作付希望作物を選択するためのプルダウンリストである。検索ボタン１０５は、管理サーバ１へ区画の検索を要求するためのボタンである。区画検索条件指定ページは、更に、希望農園主選択領域１０２、発送希望期間初日選択領域１０３及び発送希望期間末日選択領域１０４を含んでもよい。希望農園主選択領域１０２は、作物の栽培を委託可能な農園主のリストから希望農園主を選択するためのプルダウンリストである。発送希望期間初日選択領域１０３は、発送希望期間の初日を選択するためのプルダウンリストである。発送希望期間末日選択領域１０４は、発送希望期間の末日を選択するためのプルダウンリストである。ユーザは少なくとも作付希望作物を選択する。ユーザは、希望農園主、発送希望期間の初日及び末日それぞれについては選択してもよいし選択しなくてもよい。
【００５７】
区画利用状況取得部１４２は、１又は複数の農地に含まれる複数の区画の利用状況を示す情報を、区画利用状況ＤＢ１２ｅから取得する。区画の利用状況を示す情報は、基本的に区画利用情報である。例えば、区画利用状況取得部１４２は、利用状況に基づいて、所定の基準時点で如何なる区画が空き区画であるかを特定する。基準時点は、例えば現時点、又は作付希望作物の作付依頼が受け付けられたと仮定した場合において作付が行われる未来の時点である。本実施形態における基準時点は、主に現時点である。基準時点で空き区画である区画の中から、作付希望作物が作付可能な区画が特定される。区画利用状況取得部１４２は、区画利用状況ＤＢ１２ｅから、基準時点で空き区画である区画において、基準時点よりも前における栽培作物を示す情報と、基準時点で利用区画である区画の基準時点の栽培作物を示す情報との少なくとも一方を特定する。空き区画において基準時点よりも前における栽培作物を示す情報は、連作障害及び前作と後作との相性問題に関連する。利用区画において基準時点の栽培作物を示す情報は、同時に栽培される作物間の相性問題に関連する。
【００５８】
区画特定部１４３は、区画利用状況取得部１４２により取得された区画利用情報に基づいて、複数の区画のうち空き区画の中から、作付希望作物の作付けが可能な区画を特定する。連作障害、前作と後作との相性問題、及び同時に栽培される作物間の相性問題のそれぞれに対応して、作付希望作物の作付けが可能な区画の特定方法が存在する。区画特定部１４３は、３種類の特定方法の全部を用いて、作付希望作物の作付けが可能な区画を特定してもよいし、１又は２種類の特定方法のみを用いて、作付希望作物の作付けが可能な区画を特定してもよい。
【００５９】
連作障害に関し、区画特定部１４３は、作付希望作物の休栽期間に関する情報を取得する。休栽期間に関する情報は、例えば休栽期間の長さであってもよい。区画特定部１４３は、区画利用情報に基づいて、空き区画ごとに、空き区画で基準時点より前に作付希望作物と同一種類の作物が作付けされたか否かを判定する。区画特定部１４３は、基準時点より前に作付希望作物と同一種類の作物が作付けされていない区画を、連作障害に関して作付希望作物の作付けが可能な区画として特定する。基準時点より前に作付希望作物と同一種類の作物が作付けされている場合、区画特定部１４３は、基準時点より前に作付希望作物の休栽期間が終了していない区画を、作付希望作物の作付けが可能な区画から除外する。区画特定部１４３は、基準時点より前に作付希望作物の休栽期間が終了している区画を、連作障害に関して作付希望作物の作付けが可能な区画として特定する。区画特定部１４３は、作付希望作物と同一種類の作物の栽培開始日から休栽年数後の日を、休栽期間が終了する日に決定する。
【００６０】
図６（ａ）は、連作障害に関し作付希望作物が作付可能であるか否かの一例を示す図である。作付希望作物はトマトである。今日の時点で空き区画である或る区画に、過去にトマトが栽培されていた。トマトの休栽年数は５年である。今日の日付が２０１６年８月１日であるとする。過去のトマトの栽培開始日が２０１１年８月１日以降である場合、区画特定部１４３は、その区画を、作付希望作物を作付可能な区画から除外する。
【００６１】
前作と後作との相性問題に関し、区画特定部１４３は、区画利用情報に基づいて、空き区画で基準時点よりも前における栽培作物を前作として特定する。区画特定部１４３は、前作として特定した作物の後作可能作物リストを取得する。区画利用状況取得部１４２は、後作可能作物リストが作付希望作物を含む空き区画を、前作と後作との相性問題に関して作付希望作物の作付けが可能な区画として特定する。後作可能作物リストが作付希望作物を含まない空き区画は、作付けが可能な区画から除外される。
【００６２】
図６（Ｂ）は、前作と後作との相性問題に関し作付希望作物が作付可能であるか否かの一例を示す図である。作付希望作物はトマトである。今日の時点で空き区画である或る区画に、過去にたまねぎとにんじんが栽培されていた。直近に栽培されていた作物はにんじんである。にんじんを前作とした場合、後作可能な作物ははくさい、たまねぎ及びキャベツである。にんじんの後にトマトを作付けすることはできない。従って、区画特定部１４３は、その区画を、作付希望作物を作付可能な区画から除外する。
【００６３】
同時に栽培される作物間の相性問題に関し、区画特定部１４３は、空き区画から所定範囲内にある区画の中に利用区画があるか否かを判定する。区画特定部１４３は、所定範囲内にある区画の中に利用区画がない空き区画を、同時に栽培される作物間の相性問題に関して作付希望作物の作付けが可能な区画として特定する。所定範囲内にある区画の中に利用区画がある場合、区画特定部１４３は、区画利用情報に基づいて、利用区画における基準時点における栽培作物を特定する。区画特定部１４３は、特定した栽培作物の隣接区画作付可能作物リストを取得する。区画特定部１４３は、所定範囲内にある区画の中の全ての利用区画の栽培作物の隣接区画作付可能作物リストが作付希望作物を含む空き区画を、同時に栽培される作物間の相性問題に関して作付希望作物の作付けが可能な区画として特定する。少なくとも１つの利用区画の栽培作物の隣接区画作付可能作物リストが作付希望作物を含まない空き区画は、作付けが可能な区画から除外される。上述したように、所定範囲内にある区画は、注目する区画に隣接する区画であってもよいし、注目する区画から所定区画数内又は所定距離内にある区画であってもよい。本実施形態において所定範囲内にある区画は、注目する区画に隣接する区画とする。
【００６４】
図７は、同時に栽培される作物間の相性問題に関し作付希望作物が作付可能であるか否かの一例を示す図である。作付希望作物はトマトである。区画１〜１６のうち空き区画は区画１、２、５、７である。区画４、６、９、１０及び１３の栽培作物はきゅうりである。区画８、１１、１２、１４〜１６の栽培作物はとうもろこしである。きゅうりが栽培されている区画に隣接する区画で、きゅうりと同時に栽培可能な作物は、トマト、まめ類、とうもろこし及びラディッシュである。とうもろこしが栽培されている区画に隣接する区画で、とうもろこしと同時に栽培可能な作物は、きゅうり、じゃがいも、かぼちゃ、まめ類及びパセリである。区画１に隣接する区画は、空き区画である区画２及び５である。従って、区画１には、トマトの作付けが可能である。区画２に隣接する区画は、空き区画である区画１と、きゅうりが栽培されている区画３及び６である。従って、区画２には、トマトの作付けが可能である。区画５に隣接する区画は、空き区画である区画１と、きゅうりが栽培されている区画６及び９である。従って、区画５には、トマトの作付けが可能である。区画７に隣接する区画は、きゅうりが栽培されている区画３及び６と、とうもろこしが栽培されている区画８及び１１である。従って、区画７には、トマトの作付けが不可能である。
【００６５】
区画特定部１４３は、空き区画について、その空き区画を含む農地がある地域において、作付希望作物に対応する作付可能期間を作付可能期間ＤＢ１２ｃから取得してもよい。区画特定部１４３は、作付希望作物の作付依頼が受け付けられたと仮定した場合において作付希望作物の作付が行われる時期が、作付可能期間に含まれる区画の中から、作付希望作物の作付が可能な区画を特定してもよい。これにより、作付希望作物を期間的に作付可能な区画を特定することが可能である。作付希望作物の作付が行われる時期は、基準時点であってもよい。
【００６６】
ユーザにより指定された希望農園主を示す情報が希望情報取得部１４１により取得された場合、区画特定部１４３は、指定された希望農園主が有する農地に含まれる区画の中から、作付希望作物の作付けが可能な区画を特定する。この場合、区画特定部１４３は、作付希望作物に対応する作付可能期間として、希望農園主が有する農地がある地域における作付可能期間を取得する。
【００６７】
本実施形態においては、基準時点は原則として現時点であり、区画特定部１４３は、現時点で空き区画である区画の中から、作付希望作物が作付け可能な区画を特定する。しかしながら、区画特定部１４３は、現時点で利用区画である区画のうち、現在栽培中の作物の栽培が終了した後で、作付希望作物が作付け可能な区画も更に特定してもよいし、特定しなくてもよい。この場合の基準時点は、栽培中の作物の栽培が終了する日の次の日であってもよいし、栽培中の作物の栽培が終了する日から所定日数後の日であってもよい。具体的に、区画特定部１４３は、現時点で利用区画である区画で現在栽培されている作物の栽培に必要な期間を取得する。区画特定部１４３は、区画利用状況ＤＢ１２ｅから、栽培終了日を、栽培に必要な期間の末日として取得することができる。或いは、区画特定部１４３は、作物ＤＢ１２ｂに記憶されている必要栽培日数に基づいて、栽培に必要な期間を取得することができる。
【００６８】
区画特定部１４３は、現時点で利用区画である区画において、作付希望作物に対応する作付可能期間を取得してもよい。区画特定部１４３は、利用区画のうち、現在栽培されている作物の収穫が終わった後で且つ作付可能期間内に作付希望作物の作付けが可能であると判定され、且つ、区画の利用状況を示す情報に基づいて、作付希望作物が作付け可能であると判定される区画を、作付希望作物の作付が可能な区画に含めてもよい。これにより、現時点で利用区画である区画であっても、空き区画になったときに作付希望作物の作付けが可能な区画を特定することができる。
【００６９】
図８（ａ）は、作付希望作物が作付可能であるか否かの一例を示す図である。作付希望作物はトマトである。或る区画は今日の時点で利用区画である。この区画でたまねぎが現在栽培中である。たまねぎの後作可能作物はトマト、キャベツ、だいこん、スイカである。たまねぎの栽培が終了する日は４月３０日である。従って基準時点は５月１日である。基準時点において、作付希望作物の前作はたまねぎである。前作と後作との相性問題において、作付希望作物の作付けは可能である。この区画を含む農地がある地域において、トマトの作付可能期間は、４月１日〜６月１０日である。基準時点が作付可能期間に含まれるので、作付希望作物の作付けは可能である。
【００７０】
ユーザにより指定された発送希望期間が希望情報取得部１４１により取得された場合、区画特定部１４３は、作付希望作物の必要栽培日数を取得してもよい。区画特定部１４３は、現時点で利用区画である区画のうち、現在栽培されている作物の収穫が終わった後で作付希望作物が作付けされるという条件の下で、発送希望期間内に作付希望作物の配送が可能であると判定され、且つ区画利用情報に基づいて、作付希望作物が作付け可能であると判定される区画を、作付希望作物の作付が可能な区画に含めてもよい。これにより、現時点で利用区画である区画であっても、作付希望作物を収穫して発送希望期間内に発送可能な区画も、作付希望作物の作付が可能な区画に含めることができる。作付希望作物の作付が可能な日は、例えば作付希望作物の栽培が終了する日であってもよいし、作付希望作物の栽培が終了する日の次の日であってもよいし、作付希望作物の栽培が終了する日から所定日数後の日であってもよい。
【００７１】
図８（ｂ）は、作付希望作物が作付可能であるか否かの一例を示す図である。作付希望作物はトマトである。或る区画は今日の時点で利用区画である。この区画でたまねぎが現在栽培中である。たまねぎの栽培が終了する日は４月３０日であるので、基準時点は５月１日である。上述したように、前作と後作との相性問題において、作付希望作物の作付けは可能である。トマトの必要栽培日数は９０日である。従って、作付希望作物の栽培が終了する日は7月３０日である。栽培が終了する日を、発送が可能な日とする。ユーザは、発送希望期間として、８月３１日以前を指定した。発送が可能な日が発送希望期間に含まれるので、作付希望作物の作付けは可能である。
【００７２】
特定結果出力部１４４は、区画特定部１４３により特定された、作付希望作物を作付可能な区画に関する情報を出力する。例えば特定結果出力部１４４は、特定された区画の数、特定された区画を示す情報、特定された区画を有する農園主の情報、特定された区画を含む農地がある地域の情報の少なくとも何れか１つを出力してもよい。
【００７３】
図５（ｂ）は、検索結果ページの一例を示す情報である。検索結果ページは、区画の検索結果を示すウェブページである。特定結果出力部１４４は、検索結果ページをユーザ端末３へ送信してもよい。検索結果ページは、作付可能区画数１１１、作付依頼区画数選択領域１１２、及び作付依頼ボタン１１３を含んでもよい。作付可能区画数１１１は、作付希望作物を作付可能な区画の数を示す。作付依頼区画数選択領域１１２は、作付希望作物の作付けを依頼する区画の数を選択するためのプルダウンリストである。作付依頼ボタン１１３は、作付希望作物の作付を依頼するためのボタンである。ユーザが作付依頼ボタン１１３を押すと、ユーザ端末３は、作付依頼を管理サーバ１へ送信する。作付依頼は、作付依頼区画数選択領域１１２を用いてユーザにより選択された区画数を含む。
【００７４】
作付依頼受付部１４５は、作付希望作物の作付依頼を受け付ける。このとき、作付依頼受付部１４５は、区画特定部１４３により特定された、作付希望作物の作付けが可能な区画の数を越える分の区画への作付けの依頼を受け付けない。これにより、実際には作付希望作物を作付けすることができない区画に、作付希望作物が作付けされるように処理されることが回避される。
【００７５】
作付依頼受付部１４５は、作付依頼に設定された区画数が、作付希望作物の作付けが可能な区画の数を越える場合、ユーザに区画数の入力の再入力を要求してもよい。例えば、作付依頼受付部１４５は、特定結果出力部１４４により検索結果ページを再送信させてもよい。或いは、特定結果出力部１４４が、作付希望作物の作付けが可能な区画の数を越える区画数を選択することができないように、検索結果ページを生成してもよい。
【００７６】
作付依頼受付部１４５は、作付依頼を受け付けると、区画利用状況ＤＢ１２ｅを更新する。例えば、作付依頼受付部１４５は、作付希望作物の作付けが可能な区画の中から、作付依頼に設定された区画数分の区画を選択する。作付依頼受付部１４５は、選択した区画ごとに、区画利用情報を生成して区画利用状況ＤＢ１２ｅに記憶させる。このとき、作付依頼受付部１４５は、栽培開始日を、基準時点の日に設定する。基準時点の日は原則として今日である。しかしながら、上述したように、現時点で栽培中の作物の栽培が終了した後に、作付希望作物の作付けが可能な区画については、栽培中の作物の栽培が終了した後の日が栽培開始日となる。作付依頼受付部１４５は、作付希望作物の必要栽培日数を作物ＤＢ１２ｂから取得する。作付依頼受付部１４５は、栽培開始日と必要栽培日数に基づいて、栽培終了日を計算する。
【００７７】
［１−４．栽培受注システムの動作］
次に、栽培受注システムＳの動作について、図９乃至図１１を用いて説明する。サーバプログラムに含まれる様々なコードに従って、システム制御部１４は、図９乃至図１１に示す処理を実行する。
【００７８】
図９は、本実施形態に係る管理サーバ１のシステム制御部１４の検索処理の一例を示すフローチャートである。例えば図５（ａ）に示すような区画検索条件指定ページがユーザ端末３に表示されているとき、ユーザは少なくとも作付希望作物を指定する。ユーザが検索ボタン１０５を押すと、ユーザ端末３は、検索要求を管理サーバ１へ送信する。検索要求は、検索を要求するユーザのユーザＩＤ、及び作付希望作物の作物名を含む。ユーザが希望農園主を指定した場合、検索要求は、更に希望農園主の農園主ＩＤを含む。ユーザが発送希望期間を指定した場合、検索要求は、更に発送希望期間の初日及び末日の少なくとも何れか一方の日付を含む。ユーザ端末３から検索要求を受信したとき、区画特定部１４３は、検索処理を実行する。
【００７９】
図９に示すように、区画特定部１４３は、区画数Ｎを０に設定する（ステップＳ１１）。区画数Ｎは、作付希望農作物の作付けが可能な区画の数を示す。また、区画特定部１４３は、作付可能区画リストを初期化して、作付可能区画リストを、検索を要求するユーザのユーザＩＤに関連付ける。作付可能区画リストは、作付希望作物の作付けが可能な区画のリストである。次いで、希望情報取得部１４１は、検索要求に基づいて、希望農園主の指定があるか否かを判定する（ステップＳ１２）。このとき、希望情報取得部１４１は、希望農園主の指定があると判定した場合には（ステップＳ１２：ＹＥＳ）、処理をステップＳ１７に進める。一方、希望情報取得部１４１は、希望農園主の指定がないと判定した場合には（ステップＳ１２：ＮＯ）、処理をステップＳ１３に進める。
【００８０】
ステップＳ１３において、システム制御部１４は、番号ｉを１に設定する。次いで、区画特定部１４３は、農園主対応検索処理を実行する（ステップＳ１４）。農園主対応検索処理において、システム制御部１４は、農園主ｉが有する農地に含まれる区画から、作付希望農作物の作付けが可能な区画を検索する。農園主ｉは、栽培受注システムＳを通じて作物の栽培を委託可能な農園主のうちｉ番目の農園主である。
【００８１】
図１０は、本実施形態に係る管理サーバ１のシステム制御部１４の農園主対応検索処理の一例を示すフローチャートである。図１０に示すように、区画特定部１４３は、農園主ｉの農地がある地域において作付可能農作物に対応する作付可能期間を取得する（ステップＳ２１）。具体的に、区画特定部１４３は、農園主ＤＢ１２ｄから、農園主ｉの農園主ＩＤに対応する地域ＩＤを取得する。次いで、区画特定部１４３は、作付可能期間ＤＢ１２ｃから、作付可能農作物の作物名及び取得された地域ＩＤとの組み合わせに対応する作付可能期間を取得する。
【００８２】
次いで、区画特定部１４３は、番号ｊを１に設定する（ステップＳ２２）。次いで、利用状況取得部１４２は、区画ｉｊは現在空き区画であるか否かを判定する（ステップＳ２３）。区画ｉｊは、農園主ｉが有する農地に含まれる区画のうちｊ番目の区画である。具体的に、区画特定部１４３は、区画利用状況ＤＢ１２ｅから、農園主ｉの農園主ＩＤ及び区画ｉｊの区画ＩＤに対応する区画利用情報のうち、栽培期間が今日を含む区画利用情報を検索する。区画利用情報に含まれる栽培開始日及び栽培終了日が栽培期間を示す。栽培期間が今日を含む区画利用情報がない場合、区画特定部１４３は、区画ｉｊは現在空き区画であると判定する（ステップＳ２３：ＹＥＳ）。この場合、利用状況取得部１４２は、処理をステップＳ２４に進める。一方、栽培期間が今日を含む区画利用情報がある場合、区画特定部１４３は、区画ｉｊは現在空き区画ではないと判定する（ステップＳ２３：ＮＯ）。この場合、利用状況取得部１４２は、処理をステップＳ２５に進める。
【００８３】
ステップＳ２４において、区画特定部１４３は、栽培開始基準日を今日に設定して、処理をステップＳ２８に進める。栽培開始基準日は、基準時に対応する日である。
【００８４】
ステップＳ２５において、区画特定部１４３は、区画ｉｊで現在栽培中の作物の栽培が終了後に既に別の作物の作付けの予定があるか否かを判定する。具体的に、区画特定部１４３は、区画利用状況ＤＢ１２ｅから、農園主ｉの農園主ＩＤ及び区画ｉｊの区画ＩＤに対応する区画利用情報のうち、栽培開始日が明日以降である区画利用情報を検索する。栽培開始日が明日以降である区画利用情報がある場合、区画特定部１４３は、別の作物の作付けの予定があると判定する（ステップＳ２５：ＹＥＳ）。この場合、区画特定部１４３は、処理をステップＳ３３に進める。一方、栽培開始日が明日以降である区画利用情報がない場合、区画特定部１４３は、別の作物の作付けの予定がないと判定する（ステップＳ２５：ＹＥＳ）。この場合、区画特定部１４３は、処理をステップＳ２６に進める。
【００８５】
ステップＳ２６において、区画特定部１４３は、今日が栽培期間中である区画利用情報から、区画ｉｊで現在栽培中の作物の栽培終了日を取得する。次いで、区画特定部１４３は、栽培開始基準日を、取得した栽培終了日の次の日に設定して（ステップＳ２７）、処理をステップＳ２８に進める。
【００８６】
ステップＳ２８において、区画特定部１４３は、栽培開始基準日が、ステップＳ２１で取得された作付可能期間内であるか否かを判定する。このとき、区画特定部１４３は、栽培開始基準日が作付可能期間内であると判定した場合には（ステップＳ２８：ＹＥＳ）、処理をステップＳ２９に進める。一方、区画特定部１４３は、栽培開始基準日が作付可能期間内ではないと判定した場合には（ステップＳ２８：ＮＯ）、処理をステップＳ３３に進める。
【００８７】
ステップＳ２９において、区画特定部１４３は、検索要求に基づいて、発送希望期間の指定があるか否かを判定する。このとき、区画特定部１４３は、発送希望期間の指定があると判定した場合には（ステップＳ２９：ＹＥＳ）、処理をステップＳ３０に進める。一方、区画特定部１４３は、発送希望期間の指定がないと判定した場合には（ステップＳ２９：ＮＯ）、処理をステップＳ３２に進める。
【００８８】
ステップＳ３０において、区画特定部１４３は、作物ＤＢ１２ｂから、作付希望農作物の必要栽培日数を取得する。そして、区画特定部１４３は、栽培開始基準日に必要栽培日数を加算することにより、栽培終了基準日を計算する。栽培終了基準日は、作付希望農作物が栽培開始基準日に作付けされたと仮定した場合に作付希望農作物の栽培が終了する日である。次いで、区画特定部１４３は、栽培終了基準日が発送希望期間内であるか否かを判定する（ステップＳ３１）。このとき、区画特定部１４３は、栽培終了基準日が発送希望期間内ではないと判定した場合には（ステップＳ３１：ＮＯ）、処理をステップＳ３３に進める。一方、区画特定部１４３は、栽培終了基準日が発送希望期間内であると判定した場合には（ステップＳ３１：ＹＥＳ）、処理をステップＳ３２に進める。ステップＳ３２において、システム制御部１４は、作付可能判定処理を実行する。作付可能判定処理において、システム制御部１４は、連作障害、前作と後作との相性問題、及び同時に栽培される作物間の相性問題に関して、区画利用情報に基づいて、区画ｉｊに作付希望作物の作付けが可能であるか否かを判定する。システム制御部１４は、作付けが可能である場合、区画ｉｊを作付可能区画リストに追加する。
【００８９】
図１１は、本実施形態に係る管理サーバ１のシステム制御部１４の作付可能判定処理の一例を示すフローチャートである。図１１に示すように、利用状況取得部１４２は、区画ｉｊで作付けの履歴があるか否かを判定する（ステップＳ４１）。具体的に、利用状況取得部１４２は、区画利用状況ＤＢ１２ｅから、農園主ｉの農園主ＩＤ及び区画ｉｊの区画ＩＤに対応する区画利用情報を検索する。区画利用情報がある場合、区画特定部１４３は、作付けの履歴があると判定する（ステップＳ４１：ＹＥＳ）。この場合、利用状況取得部１４２は、処理をステップＳ４２に進める。一方、区画利用情報がない場合、区画特定部１４３は、作付けの履歴がないと判定する（ステップＳ４１：ＮＯ）。この場合、利用状況取得部１４２は、処理をステップＳ４８に進める。
【００９０】
ステップＳ４２において、区画特定部１４３は、区画ｉｊで作付希望作物と同一の作物が作付けされたか否かを判定する。ステップＳ４２で検索された区画利用情報の中に、作付希望作物の作物名と同一の作物名を含む区画利用情報がある場合、区画特定部１４３は、作付希望作物と同一の作物が作付けされたと判定する（ステップＳ４２：ＹＥＳ）。この場合、区画特定部１４３は、処理をステップＳ４３に進める。一方、作付希望作物の作物名と同一の作物名を含む区画利用情報がない場合、区画特定部１４３は、作付希望作物と同一の作物が作付けされなかったと判定する（ステップＳ４２：ＮＯ）。この場合、区画特定部１４３は、処理をステップＳ４５に進める。
【００９１】
ステップＳ４３において、区画特定部１４３は、作付希望作物の作物名と同一の作物名を含む区画利用情報のうち栽培開始日が最も遅い区画利用情報から、栽培開始日を取得する。また、区画特定部１４３は、作物ＤＢ１２ｂから、作付希望作物の休栽年数を取得する。そして、区画特定部１４３は、取得された栽培開始日から休栽年数後の日を、休栽期間の終了日として決定する。次いで、区画特定部１４３は、休栽期間の終了日が栽培開始基準日よりも前の日であるか否かを判定する（ステップＳ４４）。このとき、区画特定部１４３は、休栽期間の終了日が栽培開始基準日よりも前の日であると判定した場合には（ステップＳ４４：ＹＥＳ）、処理をステップＳ４５へ進める。一方、区画特定部１４３は、休栽期間の終了日が栽培開始基準日よりも前の日ではないと判定した場合には（ステップＳ４４：ＮＯ）、作付可能判定処理を終了させる。
【００９２】
ステップＳ４５において、利用状況取得部１４２は、農園主ｉの農園主ＩＤ及び区画ｉｊの区画ＩＤに対応する区画利用情報のうち、栽培開始日が最も遅い区画利用情報を取得する。そして、利用状況取得部１４２は、取得した区画利用情報に含まれる作物名を、区画ｉｊの前作の作物名として特定する。次いで、区画特定部１４３は、作物ＤＢ１２ｂから、特定した前作の作物名に対応する後作可能作物リストを取得する（ステップＳ４６）。次いで、区画特定部１４３は、作付希望作物の作物名が後作可能作物リストに含まれるか否かを判定する（ステップＳ４７）。このとき、区画特定部１４３は、作付希望作物の作物名が後作可能作物リストに含まれると判定した場合には（ステップＳ４７：ＹＥＳ）、処理をステップＳ４８に進める。一方、区画特定部１４３は、作付希望作物の作物名が後作可能作物リストに含まれないと判定した場合には（ステップＳ４７：ＮＯ）、作付可能判定処理を終了させる。
【００９３】
ステップＳ４８において、区画特定部１４３は、番号ｋを１に設定する。次いで、利用状況取得部１４２は、区画ｋが栽培開始基準日の時点で利用中であるか否かを判定する（ステップＳ４９）。区画ｋは、区画ｉｊに隣接する区画のうちｋ番目の区画である。利用状況取得部１４２は、農園主ＤＢ１２ｄに記憶されている区画情報に基づいて、区画ｉｊに隣接する区画を特定することが可能である。利用状況取得部１４２は、区画利用状況ＤＢ１２ｅから、農園主ｉの農園主ＩＤ及び区画ｋの区画ＩＤに対応する区画利用情報のうち、栽培期間が栽培開始基準日を含む区画利用情報を検索する。栽培期間が栽培開始基準日を含む区画利用情報がある場合、利用状況取得部１４２は、区画ｋが利用中であると判定する（ステップＳ４９：ＹＥＳ）。この場合、利用状況取得部１４２は、処理をステップＳ５０に進める。一方、栽培期間が栽培開始基準日を含む区画利用情報がない場合、利用状況取得部１４２は、区画ｋが利用中ではないと判定する（ステップＳ４９：ＮＯ）。この場合、利用状況取得部１４２は、処理をステップＳ５４に進める。
【００９４】
ステップＳ５０において、利用状況取得部１４２は、栽培期間が栽培開始基準日を含む区画利用情報に含まれる作物名を、栽培開始基準日の時点における区画ｋの栽培作物の作物名として特定する。次いで、区画特定部１４３は、作物ＤＢ１２ｂから、特定された栽培作物の作物名に対応する隣接区画作付け可能作物リストを取得する（ステップＳ５１）。次いで、区画特定部１４３は、作付希望作物が隣接区画作付け可能作物リストに含まれるか否かを判定する（ステップＳ５２）。このとき、区画特定部１４３は、作付希望作物が隣接区画作付け可能作物リストに含まれると判定した場合には（ステップＳ５２：ＹＥＳ）、処理をステップＳ５３に進める。一方、区画特定部１４３は、作付希望作物が隣接区画作付け可能作物リストに含まれないと判定した場合には（ステップＳ５２：ＮＯ）、作付可能判定処理を終了させる。
【００９５】
ステップＳ５３において、区画特定部１４３は、番号ｋが区画ｉｊに隣接する区画の数未満であるか否かを判定する。このとき、区画特定部１４３は、番号ｋが区画ｉｊの隣接する区画の数未満であると判定した場合には（ステップＳ５３：ＹＥＳ）、処理をステップＳ５４に進める。ステップＳ５４において、区画特定部１４３は、番号ｋを１増加させて、処理をステップＳ４９に進める。一方、区画特定部１４３は、番号ｋが区画ｉｊの隣接する区画の数未満ではないと判定した場合には（ステップＳ５３：ＮＯ）、処理をステップＳ５５に進める。
【００９６】
ステップＳ５５において、区画特定部１４３は、農園主ｉの農園主ＩＤ、区画ｉｊの区画ＩＤ、及び栽培開始基準日を含むレコードを生成する。そして、区画特定部１４３は、生成したレコードを作付可能区画リストに追加する。次いで、区画特定部１４３は、区画数Ｎを１増加させて（ステップＳ５６）、作付可能判定処理を終了させる。
【００９７】
作付可能判定処理を終えると、図１０に示すように、区画特定部１４３は、番号ｊが、農園主ｉが有する農地に含まれる区画の数未満であるか否かを判定する（ステップＳ３３）。このとき、区画特定部１４３は、番号ｊが区画の数未満であると判定した場合には（ステップＳ３３：ＹＥＳ）、処理をステップＳ３４に進める。ステップＳ３４において、区画特定部１４３は、番号ｊを１増加させて、処理をステップＳ２３に進める。一方、区画特定部１４３は、番号ｊが区画の数未満ではないと判定した場合には（ステップＳ３３：ＮＯ）、農園主対応検索処理を終了させる。
【００９８】
農園主対応検索処理を終えると、図９に示すように、区画特定部１４３は、番号ｉが、栽培受注システムＳを通じて作物の栽培を委託可能な農園主の人数未満であるか否かを判定する（ステップＳ１５）。このとき、区画特定部１４３は、番号ｉが農園主の人数未満であると判定した場合には（ステップＳ１５：ＹＥＳ）、処理をステップＳ１６に進める。ステップＳ１６において、区画特定部１４３は、番号ｉを１増加させて、処理をステップＳ１４に進める。一方、区画特定部１４３は、番号ｉが農園主の人数未満ではないと判定した場合には（ステップＳ１５：ＮＯ）、処理をステップＳ１９に進める。
【００９９】
ステップＳ１７において、区画特定部１４３は、番号ｉを、指定された希望農園主に対応する番号に設定する。次いで、区画特定部１４３は、農園主対応検索処理を実行して、処理をステップＳ１９に進める。
【０１００】
ステップＳ１９において、特定結果出力部１４４は、検索結果ページを生成する。具体的に、特定結果出力部１４４は、区画数Ｎを、作付可能区画数１１１として検索結果ページに含める。特定結果出力部１４４は、１からＮまでの中からのみ区画数を選択可能なように作付依頼区画数選択領域１１２を検索結果ページに含めてもよい。特定結果出力部１４４は、生成された検索結果ページを、検索要求を送信してきたユーザ端末３へ送信して、検索処理を終了させる。
【０１０１】
ユーザ端末３は、管理サーバ１から受信した検索結果ページを表示する。ユーザは、区画数を選択して作付依頼ボタン１１３を押す。すると、ユーザ端末３は、作付依頼を管理サーバ１へ送信する。作付依頼は、作付けを依頼するユーザのユーザＩＤ、選択された区画数、及び作付希望作物の作物名を含む。管理サーバ１は作付依頼を受信する。作付依頼受付部１４５は、作付けを依頼するユーザのユーザＩＤに関連付けられた作付可能区画リストから、作付依頼に含まれる区画数分のレコードを選択する。作付依頼受付部１４５は、選択されたレコードごとに、レコードに含まれる農園主ＩＤ、区画ＩＤ及び栽培開始基準日と、作付依頼に含まれるユーザＩＤ及び作付希望作物の作物名に基づいて、区画利用情報を生成する。このとき、作付依頼受付部１４５は、区画利用情報の栽培開始日を栽培開始基準日に設定する。また、作付依頼受付部１４５は、区画利用情報の栽培終了日を、栽培開始日から作付希望作物の必要栽培日数後の日に設定する。作付依頼受付部１４５は、生成された区画利用情報を区画利用状況ＤＢ１２ｅに記憶させる。作付依頼受付部１４５は、区画利用情報に含まれる農園主ＩＤに基づいて、栽培が委託される農園主へ栽培指示を行う。例えば、作付依頼受付部１４５は、農園主宛ての電子メールを送信することで、栽培指示を行ってもよい。栽培指示は、例えば作付希望作物の作物名、作付けされる区画、栽培開始日、栽培終了日、作付けを依頼したユーザの名前、住所、電話番号等を含んでもよい。
【０１０２】
以上説明したように、本実施形態によれば、システム制御部１４が、作付希望作物を示す作物名を取得する。また、システム制御部１４が、区画利用情報を取得する。また、システム制御部１４が、区画利用情報に基づいて、複数の区画のうち空き区画の中から、作付希望作物の作付けが可能な区画を特定する。また、システム制御部１４が、特定された区画に関する情報を出力する。従って、作付けされたことがある作物との関係で、ユーザが希望する作物の作付けが可能な区画を特定することが可能となる。
【０１０３】
また、システム制御部１４が、作付希望作物の休栽期間に関する情報を取得してもよい。また、システム制御部１４が、区画利用情報及び休栽期間に関する情報に基づいて、作付希望作物の休栽期間が終了していない区画を、作付希望作物の作付けが可能な区画から除外してもよい。この場合、システム制御部１４は、連作障害が生じないように、作付希望作物の作付けが可能な区間を特定することができる。
【０１０４】
また、システム制御部１４が、基準時点で空き区画である区画において、基準時点よりも前における栽培作物を示す区画利用情報を取得してもよい。また、システム制御部１４が、基準時点よりも前における栽培作物の栽培の後に作付け可能な作物を示す後作可能作物リストを取得してもよい。また、システム制御部１４が、後作可能作物リストに基づいて、作付希望作物が、基準時点よりも前における栽培作物の栽培の後に作付け可能な作物である区画を、作付希望作物の作付けが可能な区画として特定してもよい。この場合、システム制御部１４は、作付希望作物が後作であると仮定した場合において、前作と後作との相性問題が生じないように、作付希望作物の作付けが可能な区間を特定することができる。
【０１０５】
また、システム制御部１４が、作付希望作物の作付依頼を受け付けてもよい。このとき、システム制御部１４は、特定された区画の数を越える分の区画への作付けの依頼を受け付けなくてもよい。この場合、システム制御部１４は、作付希望作物を実際には作付けすることができない区画に、作付希望作物を作付けするように処理が行われることを防止することができる。
【０１０６】
また、システム制御部１４が、空き区画において作付希望作物の作付けが可能な作付可能期間であって、空き区画を含む地域の気象に基づく作付可能期間を取得してもよい。また、システム制御部１４が、作付希望作物の作付けが行われる時期が、作付可能期間に含まれる区画の中から、作付希望作物の作付けが可能な区画を特定してもよい。この場合、システム制御部１４は、地域によって作付けが可能な期間が異なることを考慮して、作付希望作物の作付けが可能な区間を特定することができる。
【０１０７】
また、システム制御部１４が、複数の農園主のうち、ユーザにより指定された希望農園主を示す農園主ＩＤを取得してもよい。また、システム制御部１４が、作付希望作物の作付けが可能な作付可能期間であって、希望農園主が有する農地がある地域の気象に基づく作付可能期間を取得してもよい。また、システム制御部１４が、希望農園主が有する農地に含まれる区画の中から、作付けが可能な区画を特定してもよい。この場合、ユーザは作物の栽培を委託する農園主を指定することができる。また、システム制御部１４は、農園主が有する農地がある地域によって作付けが可能な期間が異なることを考慮して、作付希望作物の作付けが可能な区間を特定することができる。
【０１０８】
また、システム制御部１４が、利用区画で現在栽培されている作物の作付けから収穫までに必要な栽培期間を取得してもよい。また、システム制御部１４が、利用区画において作付希望作物の作付けが可能な作付可能期間であって、利用区画を含む地域の気象に基づく作付可能期間を取得してもよい。また、システム制御部１４が、利用区画のうち、栽培期間及び作付可能期間に基づいて、現在栽培されている作物の収穫が終わった後で且つ作付可能期間内に作付希望作物の作付けが可能であると判定され、且つ、区画利用情報に基づいて、作付希望作物が作付け可能であると判定される区画を、作付希望作物の作付けが可能な区画に含めてもよい。この場合、システム制御部１４は、現時点で利用区画である区画であっても、地域によって作付けが可能な期間が異なることを考慮して、空き区画になったときに、作付希望作物の作付けが可能な区画を特定することができる。
【０１０９】
また、システム制御部１４が、ユーザにより指定された発送希望期間を取得してもよい。また、システム制御部１４が、利用区画で現在栽培されている作物の作付けから収穫までに必要な栽培期間を取得してもよい。また、システム制御部１４が、作付希望作物の作付けから収穫までに必要な必要栽培日数を取得してもよい。また、システム制御部１４が利用区画のうち、栽培期間、必要栽培日数及び発送希望期間に基づいて、現在栽培されている作物の収穫が終わった後で作付希望作物が作付けされるという条件の下で、発送希望期間内に作付希望作物の発送が可能であると判定され、且つ区画利用情報に基づいて、作付希望作物が作付け可能であると判定される区画を、作付希望作物の作付けが可能な区画に含めてもよい。この場合、システム制御部１４は、現時点で利用区画である区画であっても、空き区画になったときに作付けした場合に、指定された発送希望期間内に作付希望作物の発送が可能となる区画を特定することができる。
【０１１０】
また、システム制御部１４が、空き区画から所定範囲内にある区画のうち利用区画における栽培作物を示す区画利用情報を取得してもよい。また、システム制御部１４が、利用区画における栽培作物の隣接区画作付可能作物リストを取得してもよい。また、システム制御部１４が、隣接区画作付可能作物リストに基づいて、作付希望作物が、所定範囲内にある区画で栽培が可能な作物ではない利用区画から所定範囲内にある空き区画を、作付希望作物の作付けが可能な区画から除外してもよい。この場合、システム制御部１４は、周囲の区画で栽培される作物との相性問題が生じないように、作付希望作物の作付けが可能な区間を特定することができる。
【０１１１】
［２．第２実施形態］
［２−１．システム制御部の機能概要］
次に、図１２を用いて、第２実施形態におけるシステム制御部１４の機能概要について説明する。以下に説明する点を除き、第２実施形態は第１実施形態と同様である。第１実施形態においては、基本的には栽培開始日が今日以前の何れかの日である作付けの履歴を示す区画利用情報が区画利用状況ＤＢ１２ｅに記憶されていた。現在利用区画である区画の栽培作物の栽培が終了した後で作付希望作物の作付けが可能な場合にのみ、その区画については栽培開始日が明日以降の何れかの日である区画利用情報、すなわち作付けの予定を示す区画利用情報が記憶される場合があった。以下に説明する第２実施形態は、栽培開始日が明日以降の任意の日である作付けの予定を示す区画利用情報が区画利用状況ＤＢ１２ｅに記憶されていることを前提とする。
【０１１２】
例えばユーザが、作付希望作物の栽培開始時期又は栽培終了時期を指定して、作付可能な区画の検索を要求することができるように、システム制御部１４が機能する。例えば、検索条件指定ページにおいて栽培開始時期又は栽培終了時期の指定が可能である。これにより、ユーザは、明日以降の何れかの日が栽培開始日となる作付希望作物の作付けの予約を行うことができる。
【０１１３】
例えば、ユーザは希望栽培開始日又は希望栽培開始月の指定が可能であってもよい。この場合、区画特定部１４３は、希望栽培開始日又は希望栽培開始月の何れかの日から、作付希望作物の必要栽培日数後の日までの期間、空いている区画があるかを判定する。或いは、ユーザは発送希望期間の指定が可能であってもよい。この場合、区画特定部１４３は、発送希望期間の何れかの日から、作付希望作物の必要栽培日数前の日までの期間、空いている区画があるかを判定する。これらの期間を空き期間という。空き期間は、栽培が予定されていない期間である。
【０１１４】
区画特定部１４３は、空き期間のある区画のうち、区画利用情報に基づいて、その空き時期の前の栽培作物の栽培の後に作付希望作物の作付けが可能であり、且つ作付希望作物の栽培の後にその空き期間の後の栽培作物の作付けが可能であると判定される区画を、その空き時期に作付希望作物の作付けが可能である区画として特定する。空き時期の前の栽培作物の栽培の後に作付希望作物の作付けが可能な区画を特定する点については、第１実施形態における連作障害、及び前作と後作との相性問題に関して、作付希望作物の作付けが可能な区画を特定することと基本的に同様である。その一方で、本実施形態においては、空き期間の後に別の作物の作付けが既に予定されている区画が存在する場合がある。そのため、区画特定部１４３は、作付希望作物が栽培された後で作付希望作物と同一の作物が作付けが予定されることによる連作障害、及び作付希望作物を前作とする前作と後作との相性問題を考慮する必要がある。そこで、区画特定部１４３は、区画利用情報に基づいて、作付希望作物の栽培の後にその空き期間の後の栽培作物の作付けが可能な区画を特定する。
【０１１５】
図１２は、作付希望作物が作付可能であるか否かの一例を示す図である。作付希望作物はトマトである。図１２に示すように、空き期間Ｐがある区画が存在する。空き期間Ｐの日数は１００日である。トマトの必要栽培日数は９０日である。従って、空き期間Ｐの日数はトマトを栽培することが可能な日数である。空き期間Ｐの前には、たまねぎの作付けが予定されているのみである。たまねぎの後作可能作物はトマト、キャベツ、だいこん、スイカである。従って、連作障害、及び前作と後作との相性問題に関して、空き期間Ｐにトマトの作付けが可能である。一方、空き期間Ｐの後には、なすの作付けが予定されている。トマトの後作可能作物は、キャベツ、ブロッコリー、ねぎである。従って、前作と後作との相性問題に関しては、空き期間Ｐにトマトを栽培した場合、その後になすを作付けすることができない。そのため、区画特定部１４３は、その区画を、空き期間Ｐに作付希望作物を作付可能な区画から除外する。
【０１１６】
［２−２．栽培受注システムの動作］
次に、栽培受注システムＳの動作について、図１３乃至図１５を用いて説明する。以下においては、ユーザが希望栽培開始日を指定可能とした場合の動作について説明する。ユーザ端末３から管理サーバ１へ送信される検索要求は、ユーザに指定された希望栽培開始日を含む場合がある。本実施形態における検索処理は、第１実施形態の検索処理と同様である。
【０１１７】
図１３は、本実施形態に係る管理サーバ１のシステム制御部１４の農園主対応検索処理の一例を示すフローチャートである。図１３において図１０と同様の処理については同様の符号が付されている。図１０に示すように、区画特定部１４３は、農園主ｉの農地がある地域において作付可能農作物に対応する作付可能期間を取得する（ステップＳ２１）。次いで、希望情報取得部１４１は、検索要求に基づいて、希望栽培開始日の指定があるか否かを判定する（ステップＳ６１）。このとき、希望情報取得部１４１は、希望栽培開始日の指定があると判定した場合には（ステップＳ６１：ＹＥＳ）、処理をステップＳ６２に進める。ステップＳ６２において、区画特定部１４３は、栽培開始基準日を希望栽培開始日に指定して、処理をステップＳ６４に進める。一方、希望情報取得部１４１は、希望栽培開始日の指定がないと判定した場合には（ステップＳ６１：ＮＯ）、処理をステップＳ６３に進める。ステップＳ６３において、区画特定部１４３は、栽培開始基準日を今日の日付に指定して、処理をステップＳ６４に進める。
【０１１８】
ステップＳ６４において、区画特定部１４３は、栽培開始基準日が作付可能期間内であるか否かを判定する。このとき、区画特定部１４３は、栽培開始基準日が作付可能期間内であると判定した場合には（ステップＳ６４：ＹＥＳ）、処理をステップＳ６５に進める。一方、区画特定部１４３は、栽培開始基準日が作付可能期間内ではないと判定した場合には（ステップＳ６４：ＮＯ）、農園主対応検索処理を終了させる。
【０１１９】
ステップＳ６５において、区画特定部１４３は、栽培開始基準日に、作付希望農作物の必要栽培日数を加算することにより、栽培終了基準日を計算する。次いで、区画特定部１４３は、番号ｊを１に設定する（ステップＳ２２）。次いで、利用状況取得部１４２は、栽培開始基準日から栽培終了基準日までの期間、区画ｉｊが空き区画であるか否かを判定する（ステップＳ６６）。具体的に、利用状況取得部１４２は、区画利用状況ＤＢ１２ｅから、農園主ｉの農園主ＩＤ及び区画ｉｊの区画ＩＤに対応する区画利用情報のうち、栽培期間の少なくとも一部が、栽培開始基準日から栽培終了基準日までの期間の少なくとも一部と重複する区画利用情報を検索する。栽培期間の少なくとも一部が、栽培開始基準日から栽培終了基準日までの期間の少なくとも一部と重複する区画利用情報がない場合、利用状況取得部１４２は、区画ｉｊが空き区画であると判定する（ステップＳ６６：ＹＥＳ）。この場合、システム制御部１４は、作付可能判定処理を実行して（ステップＳ３２）、処理をステップＳ３３に進める。一方、栽培期間の少なくとも一部が、栽培開始基準日から栽培終了基準日までの期間の少なくとも一部と重複する区画利用情報がある場合、利用状況取得部１４２は、区画ｉｊが空き区画ではないと判定する（ステップＳ６６：ＮＯ）。この場合、システム制御部１４は、処理をステップＳ３３に進める。
【０１２０】
ステップＳ３３において、区画特定部１４３は、番号ｊが、農園主ｉが有する農地に含まれる区画の数未満であるか否かを判定する。このとき、区画特定部１４３は、番号ｊが区画の数未満であると判定した場合には（ステップＳ３３：ＹＥＳ）、処理をステップＳ３４に進める。ステップＳ３４において、区画特定部１４３は、番号ｊを１増加させて、処理をステップＳ６６に進める。一方、区画特定部１４３は、番号ｊが区画の数未満ではないと判定した場合には（ステップＳ３３：ＮＯ）、農園主対応検索処理を終了させる。
【０１２１】
図１４及び図１５は、本実施形態に係る管理サーバ１のシステム制御部１４の作付可能判定処理の一例を示すフローチャートである。図１４及び図１５において図１１と同様の処理については同様の符号が付されている。図１４に示すように、利用状況取得部１４２は、区画ｉｊで栽培開始基準日前の作付けの履歴及び予定の少なくとも何れか一方があるか否かを判定する（ステップＳ７１）。具体的に、利用状況取得部１４２は、区画利用状況ＤＢ１２ｅから、農園主ｉの農園主ＩＤ及び区画ｉｊの区画ＩＤに対応する区画利用情報のうち、栽培開始日が栽培開始基準日よりも前である区画利用情報を検索する。栽培開始日が栽培開始基準日よりも前である区画利用情報がある場合、区画特定部１４３は、作付けの履歴及び予定の少なくとも何れか一方があると判定する（ステップＳ７１：ＹＥＳ）。この場合、利用状況取得部１４２は、処理をステップＳ７２に進める。一方、栽培開始日が栽培開始基準日よりも前である区画利用情報がない場合、区画特定部１４３は、作付けの履歴及び予定の何れもないと判定する（ステップＳ７１：ＮＯ）。この場合、利用状況取得部１４２は、処理をステップＳ４８に進める。
【０１２２】
ステップＳ７２において、区画特定部１４３は、区画ｉｊで作付希望作物と同一の作物の作付けの履歴及び予定の少なくとも何れか一方があるか否かを判定する。ステップＳ７１で検索された区画利用情報の中に、作付希望作物の作物名と同一の作物名を含む区画利用情報がある場合、区画特定部１４３は、作付希望作物と同一の作物の作付けの履歴及び予定の少なくとも何れか一方があると判定する（ステップＳ７２：ＹＥＳ）。この場合、区画特定部１４３は、処理をステップＳ４３に進める。一方、作付希望作物の作物名と同一の作物名を含む区画利用情報がない場合、区画特定部１４３は、作付希望作物と同一の作物の作付けの履歴及び予定の何れもないと判定する（ステップＳ７２：ＮＯ）。この場合、区画特定部１４３は、処理をステップＳ７３に進める。
【０１２３】
ステップＳ４３において、区画特定部１４３は、作付希望作物の休栽期間の終了日を決定する。次いで、区画特定部１４３は、休栽期間の終了日が栽培開始基準日よりも前の日であるか否かを判定する（ステップＳ４４）。このとき、区画特定部１４３は、休栽期間の終了日が栽培開始基準日よりも前の日であると判定した場合には（ステップＳ４４：ＹＥＳ）、処理をステップＳ７３へ進める。一方、区画特定部１４３は、休栽期間の終了日が栽培開始基準日よりも前の日ではないと判定した場合には（ステップＳ４４：ＮＯ）、作付可能判定処理を終了させる。
【０１２４】
ステップＳ７３において、利用状況取得部１４２は、農園主ｉの農園主ＩＤ及び区画ｉｊの区画ＩＤに対応する区画利用情報であって、栽培開始日が栽培開始基準日よりも前である区画利用情報のうち、栽培開始日が最も遅い区画利用情報を取得する。そして、利用状況取得部１４２は、取得した区画利用情報に含まれる作物名を、区画ｉｊの前作の作物名として特定する。次いで、区画特定部１４３は、作物ＤＢ１２ｂから、特定した前作の作物名に対応する後作可能作物リストを取得する（ステップＳ４６）。次いで、区画特定部１４３は、作付希望作物の作物名が後作可能作物リストに含まれるか否かを判定する（ステップＳ４７）。このとき、区画特定部１４３は、作付希望作物の作物名が後作可能作物リストに含まれると判定した場合には（ステップＳ４７：ＹＥＳ）、処理をステップＳ４８に進める。一方、区画特定部１４３は、作付希望作物の作物名が後作可能作物リストに含まれないと判定した場合には（ステップＳ４７：ＮＯ）、作付可能判定処理を終了させる。
【０１２５】
ステップＳ４８において、区画特定部１４３は、番号ｋを１に設定する。次いで、利用状況取得部１４２は、区画ｋが栽培開始基準日から栽培終了基準日までの期間の少なくとも何れかの時期で利用中であるか否かを判定する（ステップＳ７４）。利用状況取得部１４２は、区画利用状況ＤＢ１２ｅから、農園主ｉの農園主ＩＤ及び区画ｋの区画ＩＤに対応する区画利用情報のうち、栽培期間の少なくとも一部が、栽培開始基準日から栽培終了基準日までの期間の少なくとも一部と重複する区画利用情報を検索する。栽培期間の少なくとも一部が、栽培開始基準日から栽培終了基準日までの期間の少なくとも一部と重複する区画利用情報がある場合、利用状況取得部１４２は、区画ｋが利用中であると判定する（ステップＳ７４：ＹＥＳ）。この場合、利用状況取得部１４２は、処理をステップＳ７５に進める。一方、そのような区画利用情報がない場合、利用状況取得部１４２は、区画ｋが利用中ではないと判定する（ステップＳ７４：ＮＯ）。この場合、利用状況取得部１４２は、処理をステップＳ５４に進める。
【０１２６】
ステップＳ７５において、利用状況取得部１４２は、栽培期間の少なくとも一部が、栽培開始基準日から栽培終了基準日までの期間の少なくとも一部と重複する区画利用情報に含まれる作物名を、栽培開始基準日から栽培終了基準日前までの期間内における区画ｋの栽培作物の作物名として特定する。次いで、区画特定部１４３は、作物ＤＢ１２ｂから、特定された栽培作物の作物名に対応する隣接区画作付け可能作物リストを取得する（ステップＳ５１）。次いで、区画特定部１４３は、作付希望作物が隣接区画作付け可能作物リストに含まれるか否かを判定する（ステップＳ５２）。このとき、区画特定部１４３は、作付希望作物が隣接区画作付け可能作物リストに含まれると判定した場合には（ステップＳ５２：ＹＥＳ）、処理をステップＳ５３に進める。一方、区画特定部１４３は、作付希望作物が隣接区画作付け可能作物リストに含まれないと判定した場合には（ステップＳ５２：ＮＯ）、作付可能判定処理を終了させる。栽培開始基準日から栽培終了基準日までの期間内に区画ｋで複数の作物が順次栽培される場合がある。この場合、区画特定部１４３は、栽培作物ごとにステップＳ７５、Ｓ５１及びＳ５２を実行する。少なくとも１つの栽培作物について作付希望作物が隣接区画作付け可能作物リストに含まれないと判定した場合、区画特定部１４３は作付可能判定処理を終了させる。
【０１２７】
ステップＳ５３において、区画特定部１４３は、番号ｋが区画ｉｊの隣接する区画の数未満であるか否かを判定する。このとき、区画特定部１４３は、番号ｋが区画ｉｊの隣接する区画の数未満であると判定した場合には（ステップＳ５３：ＹＥＳ）、処理をステップＳ５４に進める。ステップＳ５４において、区画特定部１４３は、番号ｋを１増加させて、処理をステップＳ７４に進める。一方、区画特定部１４３は、番号ｋが区画ｉｊの隣接する区画の数未満ではないと判定した場合には（ステップＳ５３：ＮＯ）、処理をステップＳ８１に進める。
【０１２８】
図１５に示すように、ステップＳ８１において、利用状況取得部１４２は、区画ｉｊで栽培終了基準日より後の作付けの予定があるか否かを判定する。具体的に、利用状況取得部１４２は、区画利用状況ＤＢ１２ｅから、農園主ｉの農園主ＩＤ及び区画ｉｊの区画ＩＤに対応する区画利用情報のうち、栽培開始日が栽培終了基準日よりも後である区画利用情報を検索する。栽培開始日が栽培終了基準日よりも後である区画利用情報がある場合、区画特定部１４３は、作付けの予定があると判定する（ステップＳ８１：ＹＥＳ）。この場合、利用状況取得部１４２は、処理をステップＳ８２に進める。一方、栽培開始日が栽培終了基準日よりも後である区画利用情報がない場合、区画特定部１４３は、作付けの予定はないと判定する（ステップＳ８１：ＮＯ）。この場合、利用状況取得部１４２は、処理をステップＳ５５に進める。
【０１２９】
ステップＳ８２において、区画特定部１４３は、区画ｉｊで栽培終了基準日より後に作付希望作物と同一の作物の作付けの予定があるか否かを判定する。ステップＳ８１で検索された区画利用情報の中に、作付希望作物の作物名と同一の作物名を含む区画利用情報がある場合、区画特定部１４３は、作付希望作物と同一の作物の作付けの予定があると判定する（ステップＳ８２：ＹＥＳ）。この場合、区画特定部１４３は、処理をステップＳ８３に進める。一方、作付希望作物の作物名と同一の作物名を含む区画利用情報がない場合、区画特定部１４３は、作付希望作物と同一の作物の作付けの予定はないと判定する（ステップＳ８２：ＮＯ）。この場合、区画特定部１４３は、処理をステップＳ８５に進める。
【０１３０】
ステップＳ８３において、区画特定部１４３は、栽培開始基準日から作付希望作物の休栽年数後の日を、休栽期間の終了日として決定する。次いで、区画特定部１４３は、作付希望作物の作物名と同一の作物名を含む区画利用情報のうち栽培開始日が最も早い区画利用情報から、栽培開始日を取得する。次いで、区画特定部１４３は、休栽期間の終了日が、取得された栽培開始日よりも前の日であるか否かを判定する（ステップＳ８４）。このとき、区画特定部１４３は、休栽期間の終了日が栽培開始日よりも前の日であると判定した場合には（ステップＳ８４：ＹＥＳ）、処理をステップＳ８５へ進める。一方、区画特定部１４３は、休栽期間の終了日が栽培開始日よりも前の日ではないと判定した場合には（ステップＳ８４：ＮＯ）、作付可能判定処理を終了させる。
【０１３１】
ステップＳ８５において、利用状況取得部１４２は、農園主ｉの農園主ＩＤ及び区画ｉｊの区画ＩＤに対応する区画利用情報であって、栽培開始日が栽培終了基準日よりも後である区画利用情報のうち、栽培開始日が最も早い区画利用情報を取得する。そして、利用状況取得部１４２は、取得した区画利用情報に含まれる作物名を、区画ｉｊの後作の作物名として特定する。次いで、区画特定部１４３は、作物ＤＢ１２ｂから、作付希望作物の作物名に対応する後作可能作物リストを取得する（ステップＳ８６）。次いで、区画特定部１４３は、後作として特定された作物の作物名が後作可能作物リストに含まれるか否かを判定する（ステップＳ８７）。このとき、区画特定部１４３は、作物名が後作可能作物リストに含まれると判定した場合には（ステップＳ８７：ＹＥＳ）、処理をステップＳ５５に進める。一方、区画特定部１４３は、作付希望作物の作物名が後作可能作物リストに含まれないと判定した場合には（ステップＳ８７：ＮＯ）、作付可能判定処理を終了させる。
【０１３２】
ステップＳ５５において、区画特定部１４３は、農園主ｉの農園主ＩＤ、区画ｉｊの区画ＩＤ、及び栽培開始基準日を含むレコードを作付可能区画リストに追加する。次いで、区画特定部１４３は、区画数Ｎを１増加させて、作付可能判定処理を終了させる。
【０１３３】
以上説明したように、本実施形態によれば、システム制御部１４が、作付けが予定される作物及び時期を示す区画利用情報を取得する。また、システム制御部１４が、この区画利用情報に基づいて、作付希望作物の作付けが可能な区画を特定する。従って、作付けが予定されている作物との関係で、ユーザが希望する作物の作付けが可能な区画を特定することが可能となる。
【０１３４】
また、システム制御部１４が、作付希望作物の作物名及び区画利用情報に基づいて、作付けが予定されていない空き時期がある区画のうち、空き時期の前の作付作物の栽培の後に、作付希望作物の作付けが可能であり、且つ作付希望作物の栽培の後に、空き時期の後の作付作物の作付けが可能であると判定される区画を、空き時期に作付希望作物の作付けが可能である区画として特定してもよい。従って、システム制御部１４は、既に別の作物の作付けが予定されている状況において、空き期間に作付希望作物の作付けが可能であり、且つ作付希望作物が空き期間に栽培されたと仮定した場合に、作付希望作物との関係で、作付けが予定されている作物の作付けが可能となる区画を特定することができる。
【符号の説明】
【０１３５】
１  管理サーバ
２  農園主端末
３  ユーザ端末
１１  通信部
１２  記憶部
１２ａ  会員ＤＢ
１２ｂ  作物ＤＢ
１２ｃ  作付可能期間ＤＢ
１２ｄ  農園主ＤＢ
１２ｅ  区画利用状況ＤＢ
１３  入出力インターフェース
１４  システム制御部
１４ａ  ＣＰＵ
１４ｂ  ＲＯＭ
１４ｃ  ＲＡＭ
１５  システムバス
１４１  希望情報取得部
１４２  区画利用状況取得部
１４３  区画特定部
１４４  特定結果出力部
１４５  作付依頼受付部
ＮＷ  ネットワーク
Ｓ  栽培受注システム
【図１】
2018088155.tif 000003
【図２】
2018088155.tif 000004
【図３】
2018088155.tif 000005
【図４】
2018088155.tif 000006
【図５】
2018088155.tif 000007
【図６】
2018088155.tif 000008
【図７】
2018088155.tif 000009
【図８】
2018088155.tif 000010
【図９】
2018088155.tif 000011
【図１０】
2018088155.tif 000012
【図１１】
2018088155.tif 000013
【図１２】
2018088155.tif 000014
【図１３】
2018088155.tif 000015
【図１４】
2018088155.tif 000016
【図１５】
2018088155.tif 000017